(57)【要約】【課題】リテーナが仮係止位置にあるときに、キャビティ内に端子金具を確実に挿入できる。【解決手段】リテーナ６０の両側面には、ハウジング１０の対応する側面に形成された受け部２３，２３Ａと係合することにより、仮係止位置にあるリテーナ６０の前部側に対し、この本係止位置に向かう移動方向と交差する方向から外力Ｆが作用した場合に、その外力付加方向にリテーナ６０が回動するのを規制する係合部６９，６９Ａが設けられている。係合部６９，６９Ａと受け部２３，２３Ａとが係合状態を維持することにより、仮係止位置にあるリテーナ６０の姿勢が正規姿勢に保たれ、キャビティ１１内にリテーナ６０の前部側が進入するのを防止できる。【選択図】図１
2008186693.tif 000002
【特許請求の範囲】
【請求項１】
相手側ハウジングに嵌合可能とされるとともに端子金具が挿入されるキャビティを有するハウジングと、
前記キャビティに連通しつつ前記ハウジングの外面に開口された挿入孔に対して差し込まれるリテーナとを備え、
前記リテーナは、前記挿入孔に差し込まれ、前記キャビティから退避しつつ前記ハウジングの外面より部分的に浮いて配されて前記端子金具の前記キャビティへの挿抜動作を許容する仮係止位置と、この仮係止位置から前記相手側ハウジングとの嵌合方向に対して斜めに移動したあと前記キャビティ内に進入することでこのキャビティ内に正規挿入された前記端子金具を抜け止めする本係止位置とに移動可能とされるものであって、
前記リテーナの移動方向側面には、前記ハウジングの対応する側面に形成された受け部と係合することにより、前記仮係止位置にある前記リテーナの、前記本係止位置に向かう移動方向前部側に対し、この本係止位置に向かう移動方向と交差する方向に力が作用した場合に、その力の加わる方向に前記リテーナが回動するのを規制する係合部が設けられていることを特徴とするコネクタ。
【請求項２】
前記ハウジングの対応する側面には、前記仮係止位置にある前記リテーナに対して前記本係止位置に向かう移動方向と交差する方向に力が作用した場合に前記リテーナの回動中心部となり得る位置に、前記リテーナの前記本係止位置に向かう移動方向に延びるガイド受け部が形成され、前記リテーナには、前記ガイド受け部と摺接することで前記リテーナの移動動作を案内するガイド部が形成されており、
前記係合部は、前記ガイド部の一端に連なり、前記受け部がガイド受け部の一端に連なることを特徴とする請求項１に記載のコネクタ。
【請求項３】
前記係合部は、前記本係止位置に向かう移動方向に延長された突形状をなし、前記受け部は、前記本係止位置に向かう移動方向に開口する凹み形状をなし、前記リテーナが仮係止位置にあるときに、前記係合部と前記受け部とが互いに凹凸嵌合することを特徴とする請求項２に記載のコネクタ。
【請求項４】
前記係合部及び前記受け部は、いずれも、前記相手側ハウジングとの嵌合方向に対して平行に延長された形状をなし、
前記リテーナは、前記仮係止位置と前記本係止位置との間に経由位置を有し、前記待機位置から前記経由位置へは、前記係合部が前記受け部内を前記相手側ハウジングとの嵌合方向に対して平行に摺動し、前記経由位置から前記本係止位置へは、前記ガイド部が前記ガイド受け部を前記相手側ハウジングとの嵌合方向に対して斜めに摺動することを特徴とする請求項１に記載のコネクタ。
【発明の詳細な説明】
【技術分野】
【０００１】
本発明は、コネクタに関する。
【背景技術】
【０００２】
特許文献１に記載のコネクタは、端子金具が挿入されるキャビティを有するハウジングと、キャビティに連通しつつハウジングの外面に開口された挿入孔に対して差し込まれるリテーナとを備えている。リテーナは、挿入孔に差し込まれた状態で、キャビティから退避しつつハウジングの外面より部分的に少し浮いて配され端子金具のキャビティへの挿抜動作を許容する仮係止位置と、この仮係止位置から前後方向と交差する斜め方向に移動したあとキャビティ内に進入することでこのキャビティ内に正規挿入された端子金具を抜け止めする本係止位置とに移動可能となっている。リテーナの側面には本係止位置への移動方向に延びるガイド孔が形成され、ハウジングの対応する側面にはガイド突部が形成されている。そして、ガイド突部がガイド孔内を摺動することで、リテーナの本係止位置への移動動作が案内されるようになっている。
【特許文献１】特開２００４−２２３０７公報
【発明の開示】
【発明が解決しようとする課題】
【０００３】
上記の場合、図１０の参考図で示すように、仮係止位置にあるリテーナ２がハウジング３の外面より少し浮いて配されることに起因し、仮係止位置にあるリテーナ２の前部側に対してハウジング３側に上向きの突き上げ力が作用すると、リテーナ２の前部側がその力の加わる方向に回動してハウジング３内に落ち込む懸念があった。こうしてリテーナ２の前部側がハウジング３内に落ち込んでその一部がキャビティ内に進入したりすると、キャビティ内に挿入される途上の端子金具にリテーナ２の前部側が干渉して、端子金具の円滑な挿入動作が損なわれるおそれがあった。
【０００４】
本発明は上記のような事情に基づいて完成されたものであって、リテーナが仮係止位置にあるときに、キャビティ内に端子金具を確実に挿入できるようにすることを目的とする。
【課題を解決するための手段】
【０００５】
上記の目的を達成するための手段として、請求項１の発明は、相手側ハウジングに嵌合可能とされるとともに端子金具が挿入されるキャビティを有するハウジングと、前記キャビティに連通しつつ前記ハウジングの外面に開口された挿入孔に対して差し込まれるリテーナとを備え、前記リテーナは、前記挿入孔に差し込まれ、前記キャビティから退避しつつ前記ハウジングの外面より部分的に浮いて配されて前記端子金具の前記キャビティへの挿抜動作を許容する仮係止位置と、この仮係止位置から前記相手側ハウジングとの嵌合方向に対して斜めに移動したあと前記キャビティ内に進入することでこのキャビティ内に正規挿入された前記端子金具を抜け止めする本係止位置とに移動可能とされるものであって、前記リテーナの移動方向側面には、前記ハウジングの対応する側面に形成された受け部と係合することにより、前記仮係止位置にある前記リテーナの、前記本係止位置に向かう移動方向前部側に対し、この本係止位置に向かう移動方向と交差する方向に力が作用した場合に、その力の加わる方向に前記リテーナが回動するのを規制する係合部が設けられている構成としたところに特徴を有する。
【０００６】
請求項２の発明は、請求項１に記載のものにおいて、前記ハウジングの対応する側面には、前記仮係止位置にある前記リテーナに対して前記本係止位置に向かう移動方向と交差する方向に力が作用した場合に前記リテーナの回動中心部となり得る位置に、前記リテーナの前記本係止位置に向かう移動方向に延びるガイド受け部が形成され、前記リテーナには、前記ガイド受け部と摺接することで前記リテーナの移動動作を案内するガイド部が形成されており、前記係合部は、前記ガイド部の一端に連なり、前記受け部がガイド受け部の一端に連なるところに特徴を有する。
【０００７】
請求項３の発明は、請求項２に記載のものにおいて、前記係合部は、前記本係止位置に向かう移動方向に延長された突形状をなし、前記受け部は、前記本係止位置に向かう移動方向に開口する凹み形状をなし、前記リテーナが仮係止位置にあるときに、前記係合部と前記受け部とが互いに凹凸嵌合するところに特徴を有する。
【０００８】
請求項４の発明は、請求項２に記載のものにおいて、前記係合部及び前記受け部は、いずれも、前記相手側ハウジングとの嵌合方向に対して平行に延長された形状をなし、前記リテーナは、前記仮係止位置と前記本係止位置との間に経由位置を有し、前記待機位置から前記経由位置へは、前記係合部が前記受け部内を前記相手側ハウジングとの嵌合方向に対して平行に摺動し、前記経由位置から前記本係止位置へは、前記ガイド部が前記ガイド受け部を前記相手側ハウジングとの嵌合方向に対して斜めに摺動するところに特徴を有する。
【発明の効果】
【０００９】
＜請求項１の発明＞
リテーナが仮係止位置にあるときに、リテーナの移動方向前部側に対して本係止位置への移動方向と交差する方向に力が作用しても、リテーナの係合部がハウジングの受け部と係合することで、リテーナが力の加わる方向に回動するのが規制されるから、リテーナの姿勢が正規姿勢に保たれる。その結果、端子金具がリテーナと干渉することなくキャビティ内に確実に挿入され、端子金具の挿入動作の円滑性が保障される。
【００１０】
＜請求項２の発明＞
係合部及び受け部がそれぞれリテーナの回動中心部となり得る位置に存するガイド部及びガイド受け部の一端と連なって配されるから、仮係止位置にあるリテーナの移動方向前部側に対して本係止位置への移動方向と交差する方向に力が作用した場合に、リテーナが回動中心部を中心として回動するのが防止される。また、係合部及び受け部がそれぞれガイド部及びガイド受け部の一端に連なることで、コネクタ全体として構成の簡略化を図れる。
【００１１】
＜請求項３の発明＞
リテーナが仮係止位置にあるときに、係合部と受け部とは互いにリテーナの本係止位置への移動方向で凹凸嵌合するから、本係止位置への移動方向と交差する方向に作用する力に抗して両者の嵌合状態を維持することができ、力の加わる方向にリテーナが回動するのを防止できる。
【００１２】
＜請求項４の発明＞
リテーナは仮係止位置と本係止位置との間に経由位置を有し、仮係止位置から経由位置へは係合部が受け部内を相手側ハウジングとの嵌合方向に対して平行に摺動し、経由位置から本係止位置へはガイド部がガイド受け部を相手側ハウジングとの嵌合方向に対して斜めに摺動するから、リテーナが仮係止位置にあるときに、リテーナの移動方向前部側に対して相手側ハウジングとの嵌合方向と直交する方向から力が作用した場合に、その力の加わる方向にリテーナが回動するのを確実に防止できる。また、仮係止位置から本係止位置に至るリテーナの移動動作が二段階に分けて行われるから、仮係止位置にあるリテーナが不意に本係止位置に移動してしまうのを回避できる。
【発明を実施するための最良の形態】
【００１３】
＜実施形態１＞
本発明の実施形態１を図１ないし図６によって説明する。本実施形態のコネクタは、ハウジング１０、端子金具（図示せず）、及びリテーナ６０を備え、ハウジング１０は相手側ハウジング（図示せず）に嵌合可能とされ、リテーナ６０はハウジング１０に対して仮係止位置と本係止位置とに移動可能とされる。なお、以下の説明において前後方向については相手側ハウジングに対する嵌合面側を前方とする。
【００１４】
ハウジング１０は合成樹脂製であって、図１及び図３に示すように、角ブロック状をなし、内部に、雌側の端子金具を挿入する複数のキャビティ１１が上下二段（高さ方向に二段）で整列に配置されている。各キャビティ１１の内壁にはランス（図示せず）が撓み可能に形成されており、キャビティ１１内に正規挿入された端子金具はランスによって弾性的に抜け止め係止される。ハウジング１０の上面にはロックアーム１２が前後方向（両ハウジングの嵌合・離脱方向）に延出して形成されており、このロックアーム１２が相手側ハウジングを弾性係止することで、両ハウジングが嵌合状態にロックされるようになっている。そして、ハウジング１０の前面には板状のフロントマスク１３が装着される。このフロントマスク１３によってランスの成形に伴う型抜き空間が塞がれ、ランスが保護状態におかれるようになっている。
【００１５】
また、ハウジング１０の外面にはリテーナ６０を差し込む挿入孔１４が開口して形成され、この挿入孔１４は、上下の全キャビティ１１に通じる深さをもって切り込み形成されるとともに、ハウジング１０の下面及び両側面の三面に亘って開口されている。ハウジング１０の両側面における挿入孔１４の開口縁は、略垂直に切り欠かれた前縁部１５と、リテーナ６０の挿入方向（本発明におけるリテーナ６０の本係止位置に向かう移動方向）に沿って斜めに切り欠かれた後縁部１６とを有する。そして、ハウジング１０の両側面における挿入孔１４の開口は、ブリッジ部１７によって部分的に塞がれている。ブリッジ部１７は、挿入孔１４の前縁部１５に連なる第一ブリッジ部１８と挿入孔１４の後縁部１６に連なる第二ブリッジ部１９とによって架橋構造をとる。第一ブリッジ部１８はリテーナ６０の挿入方向に沿って後縁部１６と平行に配置され、第二ブリッジ部１９は前後方向に沿って配置されており、挿入孔１４の開口上で両者１８，１９が交差連結されている。ハウジング１０の両側面には、ブリッジ部１７を挟んだ前後両側に、ブリッジ部１７の型抜きに起因する凹所２１が一段落ちて形成されている。
【００１６】
また、ハウジング１０の両側面には、ブリッジ部１７の後縁と挿入孔１４の後端縁との間に、挿入孔１４の一部を構成するガイド孔２２（本発明におけるガイド受け部）がリテーナ６０の挿入方向に延出して形成されている。ガイド孔２２にはリテーナ６０のガイド突部６１（本発明におけるガイド部であって後述する）が嵌入され、このガイド突部６１がガイド孔２２内を斜めに相対変位可能となっている。そして、ハウジング１０の両側面には、ガイド孔２２に臨みつつ第二ブリッジ部１９を切り欠くようにして受け部２３が形成されている。受け部２３は、側方から見てリテーナ６０の挿入方向に開口するとともに同挿入方向に深くなるよう側方から見ると凹み形状をなし、ガイド孔２２より幅狭の孔幅、詳細にはガイド孔２２の半分ほどの孔幅をもって構成され、かつ、その前縁がブリッジ部１７の後縁と段差なく連続している。受け部２３の開口からガイド孔２２にかけては、側方から見て概ね台形の突片２４によって区画されている。
【００１７】
さらに、ハウジング１０の両側面には、後方に位置する凹所２１の底面に、リテーナ６０を仮係止位置に留め置くための仮係止受け部２５が形成されるとともに、この仮係止受け部２５よりリテーナ６０の挿入方向前方にリテーナ６０を本係止位置に留め置くための本係止受け部２６が形成されている。仮係止受け部２５と本係止受け部２６はいずれも側方から見て三角形状をなし、ここにリテーナ６０側の係合突部６２が嵌入可能となっている。そして、ハウジング１０の両側面には、前方に位置する凹所２１の底面に、掛止部２７が前後方向に沿ったリブ状に形成され、ここに本係止位置に至ったリテーナ６０が引掛け係止される。ハウジング１０における挿入孔１４の前端縁のうち掛止部２７より下方には、幅方向に間隔をあけて複数のガタ詰め突起２８が形成されており、各ガタ詰め突起２８によって本係止位置にあるリテーナ６０との隙間が詰められ、リテーナ６０とハウジング１０との間のガタ付きが防止されるようになっている。
【００１８】
続いてリテーナ６０について説明すると、リテーナ６０は同じく合成樹脂製であって、図４ないし図６に示すように、ハウジング１０の全幅に亘る長さのリテーナ本体６３を備えている。リテーナ本体６３は、側方から見ると台形状をなし、挿入孔１４の前縁部１５と対応して略垂直な前端縁を有するとともに、挿入孔１４の後縁部１６と対応してリテーナ６０の挿入方向に沿った斜めの後端縁を有する。そして、リテーナ本体６３には、下段のキャビティ１１と対応する位置に、端子金具を挿通する端子挿通孔６４が横一列で形成されるとともに、各端子挿通孔６４の内下面に、端子金具を抜け止めするための抜止部６５が突設され、かつ、端子挿通孔６４を囲う上枠の上面にも、端子挿通孔６４毎に同じく抜止部６５が突設されている。また、リテーナ本体６３の後端外面には操作部６６が下向きに突出して形成され、この操作部６６を摘みつつリテーナ６０の移動操作が行われる。
【００１９】
リテーナ本体６３の両側面は閉止板６７によって閉じられており、両閉止板６７の後端縁の斜面上には、ハウジング１０側の仮係止受け部２５及び本係止受け部２６と係止可能とされる三角形状の係合突部６２が形成されている。リテーナ６０は、リテーナ本体６３の後端縁を挿入孔１４（ガイド孔２２）の後縁部１６に摺動させつつ仮係止位置から本係止位置へと両ハウジングの嵌合方向と交差する斜め上方向に変位されるが、仮係止位置では係合突部６２が仮係止受け部２５に嵌ることでリテーナ６０の移動操作が規制され、本係止位置では係合突部６２が本係止受け部２６に嵌ることでリテーナ６０の移動操作が規制される。係合突部６２にはリテーナ６０の挿入方向に沿って緩い傾斜の斜面６８が備わっており、この斜面６８によって仮係止位置から本係止位置へのリテーナ６０の移動操作がスムーズになされるようにしてある。かかるリテーナ６０は、仮係止位置では端子金具のキャビティ１１への挿抜動作を許容し、本係止位置では正規挿入状態にある端子金具を抜け止め保持するものである。
【００２０】
閉止板６７の両側外面（本発明におけるリテーナの移動方向側面）には、ガイド孔２２内に嵌合可能とされる左右一対のガイド突部６１が形成されており、ガイド突部６１に上記の係合突部６２が配置されている。ガイド突部６１は、閉止板６７の後縁に沿いつつリテーナ６０の挿入方向に延出される形態であり、ガイド突部６１の後半部は、後端に行くほど突出量を減じるテーパ面７７となっている。そして、閉止板６７の両側外面には、ガイド突部６１の一端、詳細には下端に連なってリテーナ６０の挿入方向に延出されるリブ状の係合部６９が形成されている。係合部６９は、ガイド突部６１に幅狭となって連なり、詳細にはガイド突部６１の前半部にのみ連なる形態であって、ガイド突部６１の突出量よりも小さい突出量をもって突成されている。この係合部６９は、リテーナ６０が仮係止位置にあるときに、ハウジング１０側の受け部２３にほぼ緊密に嵌入するようになており、ブリッジ部１７及び突片２４に拘束されてリテーナ６０の挿入方向を除く方向への遊動が規制されている。
【００２１】
また、リテーナ６０には、リテーナ本体６３の下面を覆うとともにリテーナ本体６３の前端から前方へ突出する方形板状の底板７１が形成されるとともに、閉止板６７の両側縁の前半部から略垂直に立ち上がる台形板状の側板７２が形成されている。リテーナ６０が本係止位置に至ると、ハウジング１０の下面における挿入孔１４の開口は底板７１によって塞がれ、かつ、ハウジング１０の両側面における挿入孔１４の開口は両側板７２によって塞がれる。リテーナ６０がハウジング１０に装着された状態では、側板７２は第一ブリッジ部１８より前方に位置し、側板７２の後端縁は第一ブリッジ部１８の前端縁に沿って配置される。リテーナ６０が仮係止位置から本係止位置に向かう過程では、側板７２は第一ブリッジ部１８によって案内されつつ変位する。そして、側板７２の上端（立ち上げ端）には、掛止部２７に引掛け状態で係止可能とされる係止爪７３が内向きに突出して形成されている。リテーナ６０が仮係止位置にあるときに、係止爪７３が掛止部２７の下面に係合することでリテーナ６０の本係止位置への移動操作が規制され、リテーナ６０が本係止位置にあるときに、係止爪７３が掛止部２７の上面に引掛け状態で係止されることで、リテーナ６０の仮係止位置への戻り操作が規制される。リテーナ６０が仮係止位置から本係止位置に向かう過程では、両側板７２の拡開変形を伴いつつ、係止爪７３が掛止部２７を弾性的に乗り越えるようになっており、つまり、リテーナ６０を本係止位置側へ押圧することにより、その押圧力で係止爪７３と掛止部２７とによる係止状態が解除されるようになっている。
【００２２】
次に、本実施形態の作用を説明する。まず、ハウジング１０の挿入孔１４に下方からリテーナ６０を挿入し、ハウジング１０のガイド孔２２にリテーナ６０のガイド突部６１を嵌入させるとともに、ハウジング１０の仮係止受け部２５にリテーナ６０の係合突部６２を嵌入させ、かつ、ハウジング１０の受け部２３にリテーナ６０の係合部６９を嵌入させることで、図１に示すように、リテーナ６０を仮係止位置に留め置く。この状態では、リテーナ６０の抜止部６５がキャビティ１１から退避した位置にあり、キャビティ１１内への端子金具の挿入動作が許容されている。
【００２３】
もっとも、リテーナ６０の底板７１がハウジング１０の外面から浮いた位置にあることに起因し、底板７１の前部側（リテーナ６０の、本係止位置に向かう移動方向前部側）に対して下方（本係止位置に向かう移動方向と交差する方向）から突き上げ方向の外力Ｆが加わると、リテーナ６０がガイド突部６１とガイド孔２２との係合領域（リテーナ６０の回動中心部となり得る位置）を中心として外力付加方向に回動し、それに伴い、リテーナ６０の前部側が持ち上がってハウジング１０内に落ち込み、さらに抜止部６５等がキャビティ１１内に進入して端子金具の挿入動作が規制される懸念がある。その点、本実施形態においては、ガイド突部６１とガイド孔２２との係合領域とは別位置（隣接位置）に、係合部６９と受け部２３との凹凸嵌合領域が設定されており、係合部６９と受け部２３が外力付加方向で当り合うことにより、仮係止位置にあるリテーナ６０のハウジング１０側への落ち込みが防止されるようになっている。
【００２４】
続いて、かく正規姿勢状態に保たれたリテーナ６０に対して斜め上方への押し込み力を付与すると、リテーナ６０は、仮係止受け部２５から係合突部６２を解離させたあとガイド孔２２の両側内面にガイド突部６１を摺接させつつ、ガイド孔２２の延出方向に移動する。リテーナ６０が本係止位置に至ると、図２に示すように、リテーナ６０の係合突部６２がハウジング１０の本係止受け部２６に嵌入するとともに、リテーナ６０の係止爪７３がハウジング１０の掛止部２７に引掛け状態で係止されてリテーナ６０の戻り方向への移動が規制され、かつ、ガイド突部６１がガイド孔２２の内上面に突き当たることで、リテーナ６０のそれ以上先方への移動操作が規制される。またリテーナ６０が本係止位置に至ると、キャビティ１１内に正規挿入された端子金具に抜止部６５が対峙して端子金具の抜け止めがなされ、ランスと併せて端子金具が二重係止される。その後、ハウジング１０は相手側ハウジングと嵌合され、その嵌合完了によって端子金具が相手側端子（図示せず）と電気的に接続されることとなる。
【００２５】
このように本実施形態によれば、次の効果を奏する。  
リテーナ６０が仮係止位置にあるときに、リテーナ６０の前部側に対し、リテーナ６０の本係止位置への移動方向と交差する外力Ｆが作用すると、リテーナ６０の係合部６９がハウジング１０の受け部２３と係合することで、リテーナ６０が外力付加方向に回動するのが規制されるから、仮係止位置にあるリテーナ６０が傾くことなく正規姿勢に保たれる。こうしてリテーナ６０の一部がキャビティ１１内に進入するのを防止できることにより、端子金具とリテーナ６０が互いに干渉するのを回避でき、端子金具の挿入動作の円滑性を担保できる。
【００２６】
また、係合部６９と受け部２３がそれぞれリテーナ６０の回動中心部となり得る位置に存するガイド突部６１とガイド孔２２の下端と連なって配されるから、リテーナ６０の回動中心部が不定となり、仮係止位置にあるリテーナ６０の前部側に対して外力Ｆが作用した場合に、リテーナ６０が回動中心部を中心として回動するのが防止される。また、係合部６９と受け部２３がそれぞれガイド突部６１とガイド孔２２の下端に連なることで、コネクタ全体として構成の簡略化を図れるとともにコンパクト化を図れる。  
さらに、リテーナ６０が仮係止位置にあるときに、係合部６９と受け部２３は互いにリテーナ６０の本係止位置への移動方向で凹凸嵌合しているから、外力Ｆに抗して両者２３，６９の嵌合状態を維持することができ、外力Ｆの加わる方向にリテーナ６０が回動するのを確実に防止できる。
【００２７】
＜実施形態２＞
次に、本発明の実施形態２を図７ないし図１０によって説明する。実施形態２のコネクタは、係合部６９Ａと受け部２３Ａの両形態が実施形態１と異なり、さらにリテーナ６０の移動操作が二段階で行われる点で実施形態１と異なる。しかし、その他は実施形態１と同様であり、実施形態１と同一の部位には同一符号を付し、重複する説明は省略する。
【００２８】
実施形態２の受け部２３Ａは、ガイド孔２２の下端から前後方向に沿いつつ（両ハウジングの嵌合・離脱方向と平行に）、略水平に後方へ向かって延出される孔形状であって、ガイド孔２２との間に鈍角の開き角度をもって連なっている。受け部２３Ａの孔幅は、ガイド孔２２の孔幅よりも小さく、ガイド孔２２の孔幅は、実施形態１におけるガイド孔２２の孔幅よりも大きい。  
また、係合部６９Ａは、ガイド突部６１の下端から同じく前後方向に沿いつつ略水平に後方へ向かって延出される突形状であって、ガイド突部６１との間に鈍角の開き角度をもって連なっている。係合部６９Ａの幅は、ガイド突部６１の幅とほぼ同一であり、ガイド突部６１の幅は、実施形態１におけるガイド突部６１の幅とほぼ同一である。そして、係合部６９Ａは、ガイド突部６１の後半部と連続する形態で突出量を減じたテーパ面７７Ａを有する。
【００２９】
リテーナ６０は仮係止位置と本係止位置との間に経由位置を有しており、仮係止位置から経由位置へは、係合部６９Ａが受け部２３Ａを摺動することで、リテーナ６０がハウジング１０に対して前後方向に沿って略水平に相対移動する一方、経由位置から本係止位置へは、ガイド突部６１がガイド孔２２を摺動することで、リテーナ６０がハウジング１０に対して前後方向と交差する斜め上方に相対移動するようになっている。つまり、リテーナ６０は、経由位置を境としてその移動方向を切り替え可能となっている。リテーナ６０の両側板７２の後端縁には、リテーナ６０の移動方向が途中で変更されることに起因し、リテーナ６０が仮係止位置にある場合において、ブリッジ部１７の角部に、詳細には第一ブリッジ部１８と第二ブリッジ部１９とが交差する前端角部に、両側板７２が干渉するのを回避するための逃がし凹部７８が切り欠き形成されている。
【００３０】
ここで、リテーナ６０は、図６に示すように、まず仮係止位置に留め置かれる。リテーナ６０が仮係止位置にあるときには、逃がし凹部７８にブリッジ部１７の角部が進入するとともに、係合部６９Ａが受け部２３Ａと上下（高さ方向）で緊密に凹凸嵌合する。よって、この状態で底板７１に対して突き上げ方向の外力Ｆが作用しても、係合部６９Ａが受け部２３Ａの両側縁と当り合うことで、リテーナ６０が外力付加方向に回動するのを防止できる。そして、ここからリテーナ６０を略水平に前方へ押しやると、図７に示すように、リテーナ６０は経由位置に至るようになる。リテーナ６０が経由位置にあるときには、係合部６９Ａが受け部２３Ａから離間して受け部２３Ａとの係合状態を解除するとともに、ガイド突部６１の前端縁とガイド孔２２の前縁部１５とが互いに当り合うこととなる。このとき、ガイド突部６１の後端縁とガイド孔２２の後縁部１６との間にはクリアランスが保有され、この間は経由位置から本係止位置にかけて非当接状態に保たれる。その後、図８に示すように、リテーナ６０を斜め上方へ押しやって本係止位置に至らすようにする。リテーナ６０が本係止位置にあると、係合部６９Ａはガイド突部６１とともにガイド孔２２内に進入し、かつ、係合部６９Ａの下端と受け部２３Ａの上端は、ほぼ同じ高さ位置にあって、前後方向の直線上に揃っている。
【００３１】
実施形態２によれば、係合部６９Ａと受け部２３Ａが外力付加方向で当り合う構成であるから、リテーナ６０が外力付加方向に回動するのを確実に防止できる。また、リテーナ６０が仮係止位置から本係止位置に至るまでの間に経由位置を有し、リテーナ６０の移動方向が経由位置を境として変更されるから、リテーナ６０が仮係止位置から本係止位置に不意に移動する事態を回避できる。
【００３２】
＜他の実施形態＞
本発明は上記記述及び図面によって説明した実施形態に限定されるものではなく、例えば次のような実施形態も本発明の技術的範囲に含まれる。  
（１）係合部が凹み形状または孔形状であって、受け部が突形状であってもよい。  
（２）係合部及び受け部はそれぞれガイド突部及びガイド孔から分離して形成されていてもよい。  
（３）リテーナが装着されるハウジングは雄側の端子金具が収容される雄型ハウジングであってもよい。
【図面の簡単な説明】
【００３３】
【図１】実施形態１のコネクタの、リテーナが仮係止位置にあるときの側面図
【図２】リテーナが本係止位置にあるときの側面図
【図３】ハウジングの底面図
【図４】リテーナの側面図
【図５】リテーナの正面図
【図６】リテーナの平面図
【図７】実施形態２のコネクタの、リテーナが仮係止位置にあるときの側面図
【図８】リテーナが経由位置にあるときの側面図
【図９】リテーナが本係止位置にあるときの側面図
【図１０】リテーナの側面図
【図１１】従来の問題点を説明するための参考図
【符号の説明】
【００３４】
１０…ハウジング
１１…キャビティ
１７…ブリッジ部
２２…ガイド孔（ガイド受け部）
２３，２３Ａ…受け部
２４…突片
６０…リテーナ
６１…ガイド突部（ガイド部）
６９，６９Ａ…係合部
７１…底板
【図１】
2008186693.tif 000003
【図２】
2008186693.tif 000004
【図３】
2008186693.tif 000005
【図４】
2008186693.tif 000006
【図５】
2008186693.tif 000007
【図６】
2008186693.tif 000008
【図７】
2008186693.tif 000009
【図８】
2008186693.tif 000010
【図９】
2008186693.tif 000011
【図１０】
2008186693.tif 000012
【図１１】
2008186693.tif 000013